【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
制御信号を出力するメイン制御手段と、前記制御信号に基づく制御を行うサブ制御手段と、を備え、図柄変動ゲームで予め定められた大当り表示結果が表示された後に遊技者に有利となる大当り遊技が付与される遊技機において、
第１始動入球口への遊技球の入球検知を行う第１入球検知手段と、
第２始動入球口への遊技球の入球検知を行う第２入球検知手段と、
前記第２始動入球口が開状態と閉状態とを取り得るように動作する開閉手段と、を備え、
前記メイン制御手段は、
前記第１入球検知手段又は前記第２入球検知手段による遊技球の入球検知を契機に、前記図柄変動ゲームが大当りとなるかを判定する大当り判定手段と、
前記大当り判定手段によって大当りとなると判定された場合、大当りの種類を決定する大当り種類決定手段と、
前記大当り種類決定手段によって決定された大当りの種類に基づく大当り遊技を付与する大当り遊技付与手段と、
予め決められた入球率向上状態付与条件が成立した場合、大当り遊技の終了後に、前記第２始動入球口に遊技球が入球する確率を向上させる入球率向上状態を付与する入球率向上状態付与手段と、
予め決められた確変状態付与条件が成立した場合、大当り遊技の終了後に、前記大当り判定手段によって大当りとなると判定される確率を向上させる確変状態を付与する確変状態付与手段と、
前回の大当りの種類と、前記確変状態の付与状態と、前記入球率向上状態の付与状態とに基づき特定される遊技情報を指定する遊技情報指定信号を前記サブ制御手段に出力する信号出力手段と、
遊技機に供給される電源電圧が所定値未満となった場合、メインバックアップ処理を実行して、前記遊技情報を含む情報をメインバックアップ情報としてメイン記憶手段に記憶させるメインバックアップ手段と、を備え、
前記サブ制御手段は、
遊技演出の演出態様を定める複数種類の演出モードの中から何れかの演出モードに制御する演出モード制御手段と、
遊技機に供給される電源電圧が所定値未満となった場合でも、所定の演出モードに制御されたことを示す制御情報を記憶保持することができる記憶保持手段と、を備え、
前記信号出力手段は、遊技機に供給される電源電圧が所定値未満となった後に所定値以上となったとき、前記メインバックアップ情報に含まれる前記遊技情報を指定する遊技情報指定信号を出力するように構成されており、
前記演出モード制御手段は、入力した遊技情報指定信号が予め決められた特定の遊技情報指定信号である場合には、複数種類の演出モードの中から、前記制御情報に基づく演出モードに制御する一方、入力した遊技情報指定信号が前記特定の遊技情報指定信号ではない場合には、前記遊技情報指定信号により指定される遊技情報に予め対応付けられた演出モードに制御するように構成されることを特徴とする遊技機。
【請求項２】
前記特定の遊技情報指定信号は、前回の大当りの種類が特定の大当りであることを特定可能な遊技情報指定信号であり、
前記制御情報は、前記特定の大当りに基づいて付与された大当り遊技の終了後に前記演出モード制御手段により制御された演出モードに基づく情報であることを特徴とする請求項１に記載の遊技機。
【請求項３】
前記特定の遊技情報指定信号は、前回の大当りの種類が特定の大当りであることを特定可能な遊技情報指定信号であり、
前記制御情報は、前記特定の大当りに基づいて付与された大当り遊技の終了後における前記確変状態の付与状態及び前記入球率向上状態の付与状態に基づく情報であることを特徴とする請求項１に記載の遊技機。
【請求項４】
前記制御情報は、前記特定の大当りとは異なる大当りとなったときに消去されることを特徴とする請求項２又は請求項３に記載の遊技機。
【請求項５】
前記複数種類の演出モードには、前記確変状態が付与されていないことを示す非確変演出モードと、前記確変状態が付与されていることを示す第１確変確定演出モード及び第２確変確定演出モードとがあり、
前記第１確変確定演出モードは、所定の大当りとなったことを契機に制御される演出モードであり、
前記演出モード制御手段は、前記非確変演出モード中又は前記第２確変確定演出モード中に前記特定の大当りとなったときには、前記特定の大当りに基づいて付与される大当り遊技の終了後には、前記第２確変確定演出モードに制御する一方、前記第１確変確定演出モード中に前記特定の大当りとなったときには、前記特定の大当りに基づいて付与される大当り遊技の終了後には、前記第１確変確定演出モードに制御することを特徴とする請求項２〜請求項４のうちいずれか一項に記載の遊技機。
【請求項６】
前記サブ制御手段は、前記演出モードにより特定される演出態様で遊技演出の実行を制御する演出制御手段を備え、
前記信号出力手段は、遊技機に供給される電源電圧が所定値未満となった後に、電源電圧が所定値以上となったとき、大当り遊技中であるか否か、及び図柄変動ゲームの実行中か否かを示す変動状態指定信号を出力可能に構成されており、
前記演出制御手段は、入力した変動状態指定信号に基づき、前記演出モードにより特定される演出態様で遊技演出を再開させることを特徴とする請求項１〜請求項５のうちいずれか一項に記載の遊技機。
【手続補正２】
【補正対象書類名】明細書
【補正対象項目名】０００６
【補正方法】変更
【補正の内容】
【０００６】
しかしながら、このような遊技機において、第４の演出モード中に電源遮断が生じた場合であっても、復電時には、バックアップされている遊技状態に基づき、第３の演出モードが設定されてしまう。このように、電源遮断時に第４の演出モードが設定されていた場合、復電時において、遊技者に対して演出モードが降格したとの認識を与える虞があり、遊技の興趣が低下する虞があった。
【手続補正３】
【補正対象書類名】明細書
【補正対象項目名】０００８
【補正方法】変更
【補正の内容】
【０００８】
上記問題点を解決する遊技機は、制御信号を出力するメイン制御手段と、前記制御信号に基づく制御を行うサブ制御手段と、を備え、図柄変動ゲームで予め定められた大当り表示結果が表示された後に遊技者に有利となる大当り遊技が付与される遊技機において、第１始動入球口への遊技球の入球検知を行う第１入球検知手段と、第２始動入球口への遊技球の入球検知を行う第２入球検知手段と、前記第２始動入球口が開状態と閉状態とを取り得るように動作する開閉手段と、を備え、前記メイン制御手段は、前記第１入球検知手段又は前記第２入球検知手段による遊技球の入球検知を契機に、前記図柄変動ゲームが大当りとなるかを判定する大当り判定手段と、前記大当り判定手段によって大当りとなると判定された場合、大当りの種類を決定する大当り種類決定手段と、前記大当り種類決定手段によって決定された大当りの種類に基づく大当り遊技を付与する大当り遊技付与手段と、予め決められた入球率向上状態付与条件が成立した場合、大当り遊技の終了後に、前記第２始動入球口に遊技球が入球する確率を向上させる入球率向上状態を付与する入球率向上状態付与手段と、予め決められた確変状態付与条件が成立した場合、大当り遊技の終了後に、前記大当り判定手段によって大当りとなると判定される確率を向上させる確変状態を付与する確変状態付与手段と、前回の大当りの種類と、前記確変状態の付与状態と、前記入球率向上状態の付与状態とに基づき特定される遊技情報を指定する遊技情報指定信号を前記サブ制御手段に出力する信号出力手段と、遊技機に供給される電源電圧が所定値未満となった場合、メインバックアップ処理を実行して、前記遊技情報を含む情報をメインバックアップ情報としてメイン記憶手段に記憶させるメインバックアップ手段と、を備え、前記サブ制御手段は、遊技演出の演出態様を定める複数種類の演出モードの中から何れかの演出モードに制御する演出モード制御手段と、遊技機に供給される電源電圧が所定値未満となった場合でも、所定の演出モードに制御されたことを示す制御情報を記憶保持することができる記憶保持手段と、を備え、前記信号出力手段は、遊技機に供給される電源電圧が所定値未満となった後に所定値以上となったとき、前記メインバックアップ情報に含まれる前記遊技情報を指定する遊技情報指定信号を出力するように構成されており、前記演出モード制御手段は、入力した遊技情報指定信号が予め決められた特定の遊技情報指定信号である場合には、複数種類の演出モードの中から、前記制御情報に基づく演出モードに制御する一方、入力した遊技情報指定信号が前記特定の遊技情報指定信号ではない場合には、前記遊技情報指定信号により指定される遊技情報に予め対応付けられた演出モードに制御するように構成されることを要旨とする。
【手続補正４】
【補正対象書類名】明細書
【補正対象項目名】０００９
【補正方法】変更
【補正の内容】
【０００９】
上記遊技機において、前記特定の遊技情報指定信号は、前回の大当りの種類が特定の大当りであることを特定可能な遊技情報指定信号であり、前記制御情報は、前記特定の大当りに基づいて付与された大当り遊技の終了後に前記演出モード制御手段により制御された演出モードに基づく情報であるようにしてもよい。
【手続補正５】
【補正対象書類名】明細書
【補正対象項目名】００１０
【補正方法】変更
【補正の内容】
【００１０】
上記遊技機において、前記特定の遊技情報指定信号は、前回の大当りの種類が特定の大当りであることを特定可能な遊技情報指定信号であり、前記制御情報は、前記特定の大当りに基づいて付与された大当り遊技の終了後における前記確変状態の付与状態及び前記入球率向上状態の付与状態に基づく情報であるようにしてもよい。
【手続補正６】
【補正対象書類名】明細書
【補正対象項目名】００１１
【補正方法】変更
【補正の内容】
【００１１】
上記遊技機において、前記制御情報は、前記特定の大当りとは異なる大当りとなったときに消去されるようにしてもよい。
上記遊技機において、前記複数種類の演出モードには、前記確変状態が付与されていないことを示す非確変演出モードと、前記確変状態が付与されていることを示す第１確変確定演出モード及び第２確変確定演出モードとがあり、前記第１確変確定演出モードは、所定の大当りとなったことを契機に制御される演出モードであり、前記演出モード制御手段は、前記非確変演出モード中又は前記第２確変確定演出モード中に前記特定の大当りとなったときには、前記特定の大当りに基づいて付与される大当り遊技の終了後には、前記第２確変確定演出モードに制御する一方、前記第１確変確定演出モード中に前記特定の大当りとなったときには、前記特定の大当りに基づいて付与される大当り遊技の終了後には、前記第１確変確定演出モードに制御するようにしてもよい。
【手続補正７】
【補正対象書類名】明細書
【補正対象項目名】００１２
【補正方法】変更
【補正の内容】
【００１２】
上記遊技機において、前記サブ制御手段は、前記演出モードにより特定される演出態様で遊技演出の実行を制御する演出制御手段を備え、前記信号出力手段は、遊技機に供給される電源電圧が所定値未満となった後に、電源電圧が所定値以上となったとき、大当り遊技中であるか否か、及び図柄変動ゲームの実行中か否かを示す変動状態指定信号を出力可能に構成されており、前記演出制御手段は、入力した変動状態指定信号に基づき、前記演出モードにより特定される演出態様で遊技演出を再開させるようにしてもよい。